(57)【要約】      （修正有）【課題】２個のハンガーでなる二重ハンガーにおいて、それぞれに、衣類を掛け外すのに使い易くし、更に双方を着脱自在に分離し、個別にハンガーとして使える二重ハンガーの提供。【解決手段】フック体１付き第１ハンガーＡと、其れに係合する第２ハンガーＢとでなる、二重ハンガーにおいて、第１ハンガーＡの中央部に設けた突状の引っ掛け部２と其れに着脱自在に軸支回動係合する第２ハンガーＢに設けた軸部３とで、双方が分離と結合自在でなる二重構造ハンガーにし、更には、第１ハンガーＡの中央部に設けたロック部４と、其れに係止自在に設けた第２ハンガーＢのロック係合部５とからなり、これらの相互関係の基で、第２ハンガーＢが前記する第１ハンガーＡの軸支回動係合の基で、所定の開き角度での開成体にて双方がロックと、解除を可能な構成にする。【選択図】図１
0003139001.tif 000002
【実用新案登録請求の範囲】
【請求項１】
フック体１付き第１ハンガーＡと、其れに係合する第２ハンガーＢとでなる、二重ハンガーにおいて、第１ハンガーＡの中央部に設けた突状の引っ掛け部２と其れに着脱自在に軸支回動係合する第２ハンガーＢに設けた軸部３とで、双方が分離と結合自在でなる二重構造ハンガーにし、更には、第１ハンガーＡの中央部に設けたロック部４と、其れに係止自在に設けた第２ハンガーＢのロック係合部５とからなり、これらの相互関係の基で、第２ハンガーＢが前記する第１ハンガーＡと軸支回動係合し、所定の開き角度での開成体にて双方がロックしと解除を、可能にしたことを特徴とする二重ハンガー。
【請求項２】
前記する第２ハンガーＢの頂部の軸体３に係止軸３ａを介し、回動自在でなるフック体１０１を設けたことを特徴とする請求項１記載の二重ハンガー。
【考案の詳細な説明】
【技術分野】
【０００１】  この考案は、衣類を掛けるハンガーに関し、詳しくは、個別で成る２個のハンガーを畳む様に、重ね合わせ着脱自在の連結手段と、これらの連結の基で、双方が所定の角度に開閉自在で、且つ、開いたままにロックと解除を可能にした、二重ハンガーに関する。尚、本明細書では、合成樹脂製での枠状（第１ハンガー）と棒状（第２ハンガー）で成るハンガーを実施例にあげるが、材質、形状は特定するものでない。
【背景技術】
【０００２】  この種の従来の技術として、知られる二重ハンガーは、例えば特開２００３−２９９９００に開示されている。即ち、衣類を掛ける際に、２個の掛け部材を手で以て隔離させる必要のない二重ハンガーで、これらの二重ハンガーは第１及び第２掛け枠からなり、開閉部を備えて、互いに開閉可能に接続している。又第１掛け枠の中央に管状部材を垂直に固定し、管状部材に対して摺動する棒状部材とフックとを互いに接続する。更に、開閉部と棒状部材とを連結部により互いに回動可能に連結する。この開閉部は蝶番と板状部材とから成り、開閉部の蝶番側の一端を第１掛け枠の上枠の中央に、板状部材側の他端を第２掛け枠の中央部にそれぞれ固定した構成である。【０００３】  そして、連結部は、軸により上記棒状部材と上記板状部材とを互いに回動可能に連結する。なお、連結部の一端は管状部材に設けた長孔を通じて棒状部材の下端に接続され、他端は板状部材の略中央に固定される構成である。【０００４】  これらの二重ハンガは、使わないときは畳み込んで収納出来、衣類をかけるのに第１及び第２掛け枠を互いに離隔した状態で、衣類を掛けた後に、据え付けのフックに引っ掛けた時に、第２掛け枠に掛けた衣類の重量を受けて開脚部が開脚し、第１及び第２掛け枠が自動的に開きそれぞれに掛けた衣服はそれぞれ離れて掛けられる構成としている。【０００５】  このように、これらの二重ハンガーに衣類を掛ける場合、掛けた衣類の重量によって第１及び第２掛け部材が自動的に開脚する為、これら２個の掛け部材を手で以って離隔させる必要が無く、例えば特に洗濯物を干す場合に有効で、使用していない時は、第１及び第２掛け部材を畳むようにすると、収納等の際にスペースを取らない等の効果を奏する。
【考案の開示】
【考案が解決しようとする課題】
【０００６】  しかしながら、上記する従来技術の場合は、第１及び第２掛け枠の双方が一体化での、折り畳みの自在構成のため、第１掛け枠を使っての衣服の掛け外しは第２掛け枠が邪魔になり、また、先に第２掛け枠を使って衣服を掛けた後での第１掛け枠への衣服の掛け外しは、重なる第２掛け枠が邪魔になる等の課題が有る。【０００７】  また、丸首のセーター等はこれらの二重ハンガーでは、第１及び第２掛け枠のそれぞれの端をセーターの丸首に差し込んで、袖口に向けて無理に入れなければならず、使い勝手に難が有る等で、家庭での洋服ハンガーとして使うのに幾つかの課題が残る。【０００８】  更に又、第１と第２掛け枠を開閉自在に連係するのに、数々の複数のパーツを使っての連結構成に出来ている為、コスト高になるなどの課題が有る。
【課題を解決するための手段】
【０００９】  この考案は、かかる課題を解決する為に、請求項１での考案は、図１、図２、図３で述べる様に、フック体付き第１ハンガーＡと、其れに係合する第２ハンガーＢとでなる二重ハンガーにおいて、第１ハンガーＡに設けた突状の引つ掛け部２と、其れに着脱自在に軸支回動係合する第２ハンガーＢに設けた軸部３とで、分離と結合自在でなる二重構造でなるハンガーにし、更には、第１ハンガーＡの中央部に設けたロック部４と、其れに係止自在に設けた第２ハンガーＢのロック係合部５とからなり、これらの相互関係の基で、第２ハンガーＢが前記する第１ハンガーＡの軸支回動係合し、所定の開き角度での開成体にて双方がロックし、且つ、ロック解除にて閉成体可能な構成とする。【００１０】  次ぎに、請求項２での考案は、図４で述べる様に、前記する第２ハンガーＢの頂部の軸部３に係止軸３ａを介し、回動自在でなるフック体１０１を設けた構成とする
【考案の効果】
【００１１】  本考案は、上述の通り構成作用するので、次ぎの優れた効果を奏する。即ち、請求項１での効果は、衣服を掛けない場合は、第１、第２ハンガーを重ね合わせ収納出来、出先から帰ってハンガーに脱いだ衣服を掛けるに、クールビーズでの服装では、先ず、上着を第１ハンガーに掛けるのに、第２ハンガーを開成体にしロックし、上着を掛け次ぎに脱いだワイシャツは、ロックを外して第２ハンガーにかけ、ズボンは第２ハンガーのズボン掛けに引っ掛けることの出来る３点セットの二重ハンガーを提供出来る、【００１２】  また、前開きの出来ない被り着のセーターやＴシャツの引っ掛けは、着脱式でなる双方のハンガーを分割して、ハンガーのフック体或いは頂部を持って、捲くり上げた裾口から差し込み丸首から引き出して、ハンガーの肩当部を袖口に向けて、もっていける二重ハンガーを提供出来る。【００１３】  次ぎに、請求項２での効果は、第２ハンガーの頂部にフック体を設けることで、２つのハンガーを分割して、個別にハンガーを据え付けのハンガーに引っ掛けて利用の出来る二重ハンガーを提供出来る。
【考案を実施するための最良の形態】
【００１４】  以下に図示の実施例に基づいて本考案を更に詳しく説明する。即ち、図１は本考案での第１実施例の全体を示しての斜視図で、図２は一部断面での分解斜視図で、図３は使用例を示しての全体斜視図で、合成樹脂材で枠状でなる第１ハンガーＡの中央部側面に、据え付けのフックに引っ掛ける、フック体１付きの第１ハンガーＡの片面の中央部の下部に位置して、突状の略Ｕの字形状でなる２個の並列する引っ掛け部２を一体化構成とする。【００１５】  そして、個別でなるフック体１無しでの棒状でなる合成樹脂材の第２ハンガーＢの中央部に位置して形成する丸棒状の軸部３が前記する第１ハンガーＡに設けた引っ掛け部２に係合し程良い固さで回動自在に着脱を自在にしている。（図２）【００１６】  次ぎに、また、第１ハンガーＡの中央部側面に設けた引っ掛け部２に近接し、其の下部に位置して開口するロック部４を配置し、これらのロック部４は、個別で構成する第２ハンガーＢの中央部に位置して形成する、突状で略Ｕの字形状でなるロック係合部５が、双方のハンガ−Ａ／Ｂが引っ掛け部２と其れに着脱自在に軸支回動係合してなる、軸部３と勘合した状態の基で、第２ハンガーＢが矢印方向に開き程良い固さで、ロック部４とロック係合部５が結合し、ロックと解除が可能でなる構成で、これらの所定の開きは第１ハンガーＡに衣服を掛け取りする操作時に有用である。【００１７】  本第１実施例では、第１ハンガーＡに設けたロック部４の穴に第２ハンガーＢの突起状でのロック係合部５が差し込まれる構成とするが、これらのロック構成はその限りでなく、他のロック手段でも良い。【００１８】  例えば、第１ハンガーＡに備するロック部４を鍵状の突起にし、これに着脱する引っ掛けはリング状体のロック係合部５を第２ハンガーＢに備する等で、双方の開閉手段にしても良く、目的は、双方のハンガーＡ／Ｂが開閉状態でロックし第１ハンガーＡに衣服の着脱を容易にする手段を講ずることとで有る。尚、本実施例での形態は第２ハンガーＢに設けた略Ｕの字形状でなるロック係合部５は帽子や小物を掛けるに利用出来る有用性を配慮した構成としている。【００１９】  次ぎに、図４は本考案での第２実施例を示しての斜視図で、第１ハンガーＡから分割した第２ハンガーＢを示すもので、棒状でなるこれらの第２ハンガーＢの中央部で頂部に位置して、フック体１０１を回動自在に係止軸３ａを介して程よい固さで一体化した構成とし、必要時にこれらの回動するフック体１０１を矢印方向に回し、単体で第２ハンガーＢが通常ハンガーと同等に使える構成を狙いとし、第１ハンガーＡと結合して、二重ハンガーとして使う時はこれらのフック体１０１を下部に回して、収納しこれまた小物等の引っ掛けにする等の有用性を配慮した構成とする。【００２０】  次ぎに、図５は第１実施例での本考案での二重ハンガーを使っての、上着、ワイシャツ、ズボン、或いは帽子を掛けた形態での外観図を示し、図６は、本考案での第２実施例での第２ハンガーＢを第１ハンガーＡから分割し、洋服タンス或いは、据え付けのフックに掛けた状態での正面図を示したもので、二重ハンガーを分割して、２個のハンガーとして有効に活用される。
【図面の簡単な説明】
【００２１】
【図１】  本考案に係わる第１実施例での全体を示す斜視図である。
【図２】  本考案に係わる第１実施例での分解要部での斜視図である。
【図３】  本考案に係わる第１実施例での使用例を示しての斜視図である。
【図４】  本考案に係わる第２実施例での分割を示しての斜視図である。
【図５】  本考案に係わる第１実施例での衣類を掛けた使用例である。
【図６】  本考案に係わる第２実施例での分割してフックに掛けた正面図である。
【符合の説明】
【００２２】  Ａ    第１ハンガー
Ｂ    第２ハンガー
１、（１０１）  フック体
２    引っ掛け部
３    軸部
３ａ  係止部
４    ロック部
５    ロック係合部
【図１】
0003139001.tif 000003
【図２】
0003139001.tif 000004
【図３】
0003139001.tif 000005
【図４】
0003139001.tif 000006
【図５】
0003139001.tif 000007
【図６】
0003139001.tif 000008